(57)【要約】【課題】薬剤供給装置の薬液剤の吐出供給に際し、該薬液剤がつきるまで、常時一定量を供給することができる薬剤滴下栓及び該薬剤滴下栓を備え、薬液剤の供給、揮散が不必要な時は一次的に簡便に該薬液剤の供給、揮散を停止することができる薬剤供給装置を提供することである。【解決手段】換気筒と、吐出供給栓を配設する吐出口とを一体として具備する薬剤滴下栓、該薬剤滴下栓を備える薬剤収容容器と該容器の支持台と薬剤を貯留・揮散する薬剤貯留・揮散部材とからなると共に、薬剤収容容器と支持台との位置をずらすことにより薬剤の供給、揮散を停止することができる吐出供給栓を収容嵌合するキャップを備える停止機構を具備する倒立型薬剤供給装置を提供する。【選択図】　なし【特許請求の範囲】
【請求項１】
倒立型薬剤供給装置に使用される薬剤滴下栓であって、換気筒と、吐出供給栓を配設する吐出口とを一体として具備することを特徴とする倒立型薬剤供給装置用の薬剤滴下栓。
【請求項２】
請求項１記載の薬剤滴下栓を備える薬剤収容容器と、該薬剤収容容器を支持する支持台と、吐出供給栓から吐出される薬剤を貯留・揮散する薬剤貯留・揮散部材とからなる倒立型薬剤供給装置。
【請求項３】
請求項２記載の倒立型薬剤供給装置において、さらに吐出供給栓を収容嵌合するキャップを備え、薬剤の供給、揮散の不使用時には前記薬剤収容容器と前記支持台との位置をずらすことにより薬剤供給及び揮散を停止する機構を備えることを特徴とする倒立型薬剤供給装置。
【発明の詳細な説明】
【０００１】
【発明が属する技術分野】
本発明は、芳香剤、脱臭剤、殺菌剤などの液状薬剤を定量的に滴下すると共に、薬剤の滴下を任意に制御できる薬剤供給装置に関するものである。
【０００２】
【従来の技術】
従来、倒立型薬剤供給装置としては、例えば、水洗トイレ用オンタンク型芳香脱臭洗浄装置として、芳香脱臭洗浄液を収容するボトルと、該ボトルに被冠するキャップと、該キャップのシリンダ部を揺動することによって定量の芳香脱臭洗浄液が滴下されるフロートピストンと、キャップによるボトルへの被冠をシールするパッキングとでなる水洗トイレ用芳香脱臭洗浄液滴下装置（特開平６−１１７００３号公報）、芳香脱臭洗浄液剤を収容するボトルと、ボトルに被冠し、シリンダ部を頂盤部に形成したキャップと、キャップのシリンダ部を往復揺動するピストン部に、放射状アームを備え、これに接続される環状浮体を設けた浮動栓と、該浮動栓の環状浮体の内周側に位置し、放射状アームの立上がり頂部を支承するとともに水洗タンク蓋上の手洗い部に流れる水を堰止める突堤部、手洗い部の流し込み口に挿入しセットするノズル、及びボトルを手洗い部に設置させる台座でなるカバー台座とからなる水洗トイレ用芳香脱臭洗浄液剤滴下装置（特開平７−１８７１６号公報）、芳香剤又は消臭剤等の揮発性液体を収容しかつ底部に開口部を有する気体も液体も通さない容器と、この容器の底部の開口部を覆い気体は通すが液体は通さない揆水性のある多孔質膜とから構成され、多孔質膜のそれぞれの孔に揮発性液体を露出させて蒸散させるようにしている揮発装置（特開平７−１５５３６７号公報）、液体芳香剤を収納すると共に、先端に液排出口部を設けた液体芳香剤収納容器と、揮散用部材を配置し、上記液体芳香剤収納容器を挿入保持する保持ガイド部を有する芳香皿とを備え、上記保持ガイド部に液体芳香剤収納容器を倒立し、液排出口部を芳香皿に配置した揮散用部材に接触させることにより芳香剤を揮散させるようにした芳香剤容器において、前記液体芳香剤収納容器の液排出口部を円錐形状の筒状体とし、かつ、その外周に先端から孔径の目盛を表示する構造とする芳香剤容器（特開平８−１０７９２８）などが提案されている。しかし、倒立使用の液状薬剤供給装置においては、夏季などに室温が上昇して容器の上部空間の気圧があがると、該上部空間の気体に押されて、薬剤供給芯、吐出口などを介して液体薬剤が通常より多く吐出されるという液状薬剤の定量供給において課題がある。そこでこれらの課題を解決するために、周囲の温度変化に対しても液体薬剤の安定した常時一定量を供給できるように、例えば、液体芳香剤を内部に収容しかつ口元部を下方に向ける略密閉された倒立型の容器と、口元部の下方位置に配設された揮散紙と、液体芳香剤を揮散紙に供給する供給芯などとを備えた液体芳香剤徐放器において、容器内には、液面上側の上部空間に上端を開口させ、かつ、温度変化に応じて上端の開口から上部空間内の気体を口元部に導いて容器外部に逃がすパイプが設けられている揮散性薬剤徐放器（特開平９−２５３１８４号公報、また、特開平９−２５３１８５号公報、特開平９−２７６３８６号公報）などの改善案がれており、本出願人も、先に、液状薬剤を収容する容器と、該容器の連通口に挿入された微細輸送路構造を有する液体供給栓と、漏洩した薬液剤を保持する液体貯留槽を具備した台座からなるオンタンク型薬液剤供給装置（特願２０００−３４３５７２号）を改善提案をしている。
【０００３】
また、薬剤供給装置において、薬剤供給の不必要な際、一次的に薬剤の供給ないし揮散を停止する手段については、従来、芳香剤を貯える容器と、容器の開口部を開閉するふたと、ふたの内面に取り付けられ該芳香剤を含浸させることのできるディップ部材とを含み、該芳香剤の使用時に上記容器の開口部を閉塞した状態で該ディップ部材を容器外部に露出させ、該芳香剤の不使用時には該容器に該ディップ部材を収容することを特徴とする芳香剤容器（特開平１１−２２６１０４号公報）、揮散性薬剤を収容した倒立型容器において、揮散性薬剤の流下口の口部を閉止するキャップを備え、キャップにはその流下口を開閉するボタンが設けられ、閉栓時に流下口に強嵌合して、流下口の気密を高度に保持する裾部が備わっている倒立型揮散性薬剤発散器（特開２００２−１１３０８６号公報）などの改善提案がされているが、さらに簡便で効果的な手段の開発が望まれている。
【０００４】
【発明が解決しようとする課題】
本発明の目的は、倒立型薬剤供給装置の薬液剤の吐出供給に際し、該薬液剤がつきるまで、常時一定量を供給することができる薬剤滴下栓及び該薬剤滴下栓を備え、薬液剤の供給、揮散が不必要な時は一次的に簡便に該薬液剤の供給、揮散を停止することができる薬剤供給装置を提供することである。
【０００５】
【課題を解決するための手段】
本発明者らは、前記課題を解決するために鋭意改良を重ねた結果、換気筒と、吐出供給栓を配設する吐出口とを一体として具備する倒立型薬剤供給装置用の薬剤滴下栓、該薬剤滴下栓を備える薬剤収容容器と該容器の支持台と薬剤を貯留・揮散する薬剤貯留・揮散部材とからなると共に、薬剤収容容器と支持台との位置をずらすことにより薬剤の供給、揮散を停止することができる吐出供給栓を収容するキャップを備える倒立型薬剤供給装置を利用することにより、上記課題を解決することを見出し本発明を完成した。
【０００６】
従って、本発明によれば、換気筒と、吐出供給栓を配設する吐出口とを一体として具備する倒立型薬剤供給装置用の薬剤滴下栓を提供するものである。また、本発明は、該薬剤滴下栓を備える薬剤収容容器と、該薬剤収容容器を支持する支持台と、前記吐出供給栓から吐出される薬剤を貯留・揮散する薬剤貯留・揮散部材とからなる倒立型薬剤供給装置であり、また、本発明は、倒立型薬剤供給装置において、さらに吐出供給栓を収容嵌合するキャップを備え、薬剤の供給、揮散の不使用時には前記薬剤収容容器と前記支持台との位置をずらすことにより薬剤揮散を停止することができる倒立型薬剤供給装置を提供することである。
【０００７】
【発明の実施の形態】
発明の１実施態様によれば、図３の薬剤収容容器６内の薬剤は、吐出供給栓４を通過して薬剤貯留・揮散部材８に供給され、薬剤は温度などの影響を受けることなく、定量的に供給、揮散することができると共に、薬剤の供給、揮散が不必要な時は、薬剤収容容器６と支持台７との位置をずらすことにより吐出供給栓４をキャップ９に収容嵌合して薬剤の供給、揮散を停止することができる。
【０００８】
以下添付した図面を参照して、本発明の薬剤滴下栓及び倒立型薬剤供給装置を説明する。図１及び図２は本発明の換気筒と吐出口とを一体具備する薬剤滴下栓の説明図を、図３は本発明の薬剤滴下栓を使用した倒立型薬剤供給装置の説明図を、図４は薬剤収容容器を支持する支持台の説明図を示す。
【０００９】
図１は、本発明の倒立型薬剤供給装置用の薬剤滴下栓の一実施態様を表す断面であり、換気筒（２ａ、２ｂ）と、吐出供給栓４を配設する吐出口３とを一体として具備する倒立型薬剤供給装置用の薬剤滴下栓１が、薬剤収容容器の開口部５に配設されている様子を示している。
【００１０】
本発明の薬剤滴下栓は、中栓型（図１−（Ａ）、（Ｂ））又は外栓型（図１−（Ｃ））のいずれの使用形態でも良く、外栓型の使用形態であれば、薬液剤の詰め替え又は薬剤容器の付け替えの際の、薬剤滴下栓の挿着が容易であり、経済的にもメリットがある。薬剤滴下栓の素材としては特に限定されるものではないが、例えば、ポリエチレン、ポリプロピレンなどを利用することができる。
【００１１】
また、本発明においては薬剤滴下栓には、吐出供給栓と流動抵抗部位との相対関係で気相部気圧の変化を換気筒を通じて平衡調圧されるように、すなわち、温度変化による液面上部空間内の気圧変化に対応して、薬剤収容容器内の気圧を一定に維持するために換気筒が一体具備されている。該換気筒は、一体成形された長尺換気筒２ａであっても、短尺換気筒２ｂであってもよく、短尺型の場合は換気筒にパイプを装着して使用することができる。換気筒に装着するパイプの素材としては特に限定されるものではないが、例えば、ポリエチレン、ポリプロピレン、ガラスなどを例示することができる。また、換気筒の形状は、その先端が、倒立設置時の容器内気相部に到達する長さとし、吐出供給栓より圧力損失が低い流動抵抗部位を配設することにより、例えば正立保管中などに換気筒中に侵入滞留した薬剤が倒立設置時に急激に排出されないための機能を具備している。その流動抵抗部位の形成方法としては、毛管体を挿着したり、内径を絞込形成し、毛管性を発現させる。例えば、図２で示したような直管型（２−１）、部分毛管型（２−２）、液溜付設型（２−３）、クランク屈曲型（２−４）などの形状を例示することができる。またさらに、換気筒の位置は、センター型、非センター型のいずれでも良い。
【００１２】
更に、薬剤滴下栓は吐出口を具備しており、該吐出口には薬剤を揮散媒体に供給する吐出供給栓が挿着されている。該吐出供給栓は、先端部に挿着止め用のツバ状の形状および挿入先端の先細り構造などを具備しているペン先構造体を有し、芳香剤などの薬液剤を使用期間を通じて定量供給又は定量揮散させることができ、吐出供給栓の吐出口への挿入嵌合作業が容易であり、かつ安価に製造することができる。また、吐出口の位置は、センター型、非センター型のいずれでも良く、挿着した吐出供給栓は、薬剤収容容器の支持台にキャップを設けることにより、不使用時には該キャップに挿入嵌合させて薬剤の供給、揮散を停止することができる。該吐出供給栓の素材としては、吸液性を有するものであれば特に制限されず、例えば、多孔質成形体、多孔質毛管体、中空毛管体、外壁毛管溝毛管体などを利用することができる。
【００１３】
図３は本発明の薬剤滴下栓１を備える薬剤収容容器６と、該薬剤収容容器を支持する支持台７と、吐出供給栓４から吐出される薬剤を貯留・揮散する薬剤貯留・揮散部材８とからなる倒立型薬剤供給装置１０の一実施態様を表す断面であり、図３−（Ａ）は、使用中の薬剤供給装置１０を表し、支持台に、吐出供給栓を収容するキャップ９を備えており、図３−（Ｂ）は、薬液剤の供給、揮散の不使用時には前記薬剤収容容器と前記支持台との位置をずらすことにより、容易に前記キャップに吐出供給栓を収容嵌合して薬液剤の供給、揮散を停止することができる薬剤供給装置を表している。薬液剤を効率的、経済的に使用できると共に、使用者の意志で薬液剤の供給、揮散又は停止を選択することができる。図４は薬剤収容容器を支持する支持台７の一実施態様を表す上部（Ａ）及び断面（Ｂ）の説明図であり、薬液剤を貯留・揮散する薬剤貯留・揮散部材８と吐出供給栓を収容するキャップ９を備える。薬液剤の供給、揮散の停止方法としては、例えば、薬剤収容容器を回転あるいはスライドさせてキャップへ吐出供給栓を誘導して収容する方法などの方法を例示することができる。図５は吐出供給栓を挿着した吐出口と該吐出供給栓を収容嵌合するキャップの一実施態様を表す断面の説明図であり、図５−（Ａ）は、吐出口３に吐出供給栓４を装着し、吐出口の外部側壁にキャップと嵌合する凹部１１ａを有し、吐出供給栓を収容するキャップ４の内側には凸部１１ｂを備える。また図５−（Ｂ）は、吐出供給栓を収容キャップに収容嵌合した様子をあらわす。吐出口とキャップとの嵌合部の形状は、特に限定されるものではなく、吐出供給栓とキャップとの嵌着操作が容易であり、かつ、密閉性に優れているものであればよい。
【００１４】
薬剤収容容器の形状、材質は特に限定されず、薬液剤を安定に収容できるものであればよく、その材質は、例えば、ポリエステル、ポリプロピレンなどを例示することができる。また、支持台の形状、材質は特に限定されず、前記薬剤収容容器を安定に支持できる形状であればよく、その材質は、例えば、ポリプロピレンなどを例示することができる。更に、吐出供給栓を収容するキャップの形状、材質は特に限定されず、吐出供給栓を収容し、薬液剤の供給、揮散を簡便に、効果的に停止できるものであればよく、その材質は、ポリプロピレンなどを例示することができる。
【００１５】
薬液剤を貯留・揮散する薬剤貯留・揮散部材の素材としては、例えば、毛管体であればよく、不織布、ガーゼ、フェルト、高分子焼結体などを例示することができる。また、薬剤貯留・揮散部材は、支持台と一体成型して利用することもできる。薬液剤の成分としては、芳香剤、脱臭剤、洗浄剤、着色剤、殺菌剤、界面活性剤、溶剤などが例示され、これらの１種又は２種以上を組み合わせて使用することができる。
【００１６】
本発明の薬剤供給装置は、トイレ、浴室、台所、室内、車内などで各種芳香剤、脱臭剤、洗浄剤などの薬液剤を供給、揮散させて使用される。例えば、水洗トイレ用オンタンク型芳香洗浄剤、浴室用芳香剤、室内芳香剤、自動車用芳香剤などの利用を例示することができる。さらに、各種薬液剤を供給、揮散させたい時に、薬剤収容容器と支持台との位置をずらすことにより、容易に吐出供給栓を収容嵌合したキャップをはずし、薬液剤の供給、揮散を促し、不使用時には、薬剤収容容器と支持台との接触をずらすことにより、簡単な操作で吐出供給栓をキャップに収容嵌合し、薬液剤の供給、揮散を停止させることができ、薬液剤を効率的、経済的に使用することができる。
【００１７】
【発明の効果】
本発明によれば、薬剤供給装置の薬液剤の吐出供給に際し、芳香剤などの薬液剤を使用期間を通じて定量供給又は定量揮散させることができ、薬剤供給装置の吐出口への挿入嵌合作業が容易であり、かつ安価に製造することができる薬剤滴下栓及び薬液剤の供給、揮散が不必要な際は一次的に簡便に該薬液剤の供給、揮散を停止することができる薬剤供給装置を提供することである。
【図面の簡単な説明】
【図１】本発明の換気筒と吐出口とを一体具備する薬剤滴下栓を示す説明図である。
【図２】本発明の換気筒と吐出口とを一体具備する薬剤滴下栓を示す説明図である。
【図３】本発明の薬剤滴下栓を使用した倒立型薬剤供給装置を示す説明図である。
【図４】本発明の薬剤収容容器を支持する支持台を示す説明図である。
【図５】本発明の吐出供給栓を装着した吐出口とキャップとを示す説明図である。
【符号の説明】
１　薬剤滴下栓
２　換気筒
２ａ　長尺換気筒
２ｂ　短尺換気筒
２−１　直管型換気筒
２−２　部分毛管型換気筒
２−３　液溜付設型換気筒
２−４　クランク屈曲型換気筒
３　吐出口
４　吐出供給栓
５　薬剤収容容器の開口部
６　薬剤収容容器
７　支持台
８　薬剤貯留・揮散部材
９　吐出供給栓を収容するキャップ
１０　倒立型薬剤供給装置
１１ａ　嵌合凹部
１１ｂ　嵌合凸部
【図１】
2004008665.tif 000002
【図２】
2004008665.tif 000003
【図３】
2004008665.tif 000004
【図４】
2004008665.tif 000005
【図５】
2004008665.tif 000006